【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
広告でアプリケーション・プログラムをターゲッティングするシステムであって、
複数の計算デバイスから受信したアプリケーション実行データーを格納するためのメモリー・エリアであって、前記アプリケーション実行データーが、前記複数の計算デバイスの各々の実行環境を記述し、前記メモリー・エリアがプッシュ・サービスと関連付けられた、メモリー・エリアと、
プロセッサーであって、
前記メモリー・エリアに格納された前記アプリケーション実行データーに基づいて、前記実行環境に対応するアプリケーション統計を生成し、該アプリケーション統計が、前記複数の計算デバイスのうちの１つの計算デバイスにおいて同時に実行されている複数のアプリケーション・プログラムを少なくとも記述し、
広告主によって定められた少なくとも１つの広告キャンペーンにアクセスし、
生成した前記アプリケーション統計およびアクセスした前記広告キャンペーンに基づいて、前記複数の計算デバイスのうちの前記１つの計算デバイスにおいて同時に実行している前記複数のアプリケーションから、広告を受信する少なくとも１つのアプリケーション・プログラムを特定し、
前記プッシュ・サービスによって、特定した前記アプリケーション・プログラムに前記広告を配信し、
特定した前記アプリケーション・プログラムとこれに関連する生成した前記アプリケーション統計とに少なくとも基づいて、前記広告を特定した前記アプリケーション・プログラムに配信したことに対して前記広告主に課金する額を計算する、
ようにプログラミングされた、プロセッサーと、
を含む、システム。
【請求項２】
請求項１記載のシステムにおいて、前記プロセッサーが、
前記アプリケーション・プログラムの人気、
前記アプリケーション・プログラムのタイプ、
前記アプリケーション・プログラムの実行頻度、および
前記アプリケーション・プログラムの実行場所、
のうち１つ以上に基づいて、前記額を計算するようにプログラムされた、システム。
【請求項３】
請求項１記載のシステムにおいて、前記プロセッサーが、更に、
前記複数の計算デバイスのうちの前記１つの計算デバイスの位置を記述する位置情報を受信し、該位置情報が、前記複数の計算デバイスのうちの前記１つの計算デバイスからのハートビート・メッセージとして受信され、
少なくとも受信した前記位置情報に基づいて、前記複数の計算デバイスのうちの前記１つの計算デバイスの前記位置を判定し、
前記複数の計算デバイスのうちの前記１つの計算デバイスの判定した前記位置に基づいて、前記広告を選択する、
ようにプログラムされた、システム。
【請求項４】
請求項１記載のシステムにおいて、前記アプリケーション実行データーが、
アプリケーション名、
アプリケーション・タイプ、
サービス名、
アプリケーション・バージョン、および
アプリケーション販売業者、
のうち１つ以上を含む、システム。
【請求項５】
請求項１記載のシステムにおいて、前記プロセッサーが、前記アプリケーション・プログラムの実行頻度を判定し、前記アプリケーション・プログラムが受信するまたは該アプリケーション・プログラムから送られるメッセージの量を判定することによって、前記アプリケーション統計を生成する、システム。
【請求項６】
請求項１記載のシステムにおいて、前記複数の計算デバイスは、プッシュ・サービスを有する単一のプッシュ・チャンネルを有し、前記プロセッサーは、特定した前記アプリケーション・プログラムに対し前記単一のプッシュ・チャンネルを介して前記広告を配信し、前記アプリケーション・プログラムの各々は、前記単一のプッシュ・チャンネルと１対１マッピングを有する、システム。
【請求項７】
請求項１記載のシステムであって、更に、
広告でアプリケーション・プログラムをターゲッティングする手段と、
前記広告を配信したことに対して前記広告主に課金する金銭額を計算する手段と、
を含む、システム。
【請求項８】
プッシュ・サービスが、計算デバイスからアプリケーション実行データーを受信するステップであって、前記アプリケーション実行データーが、前記計算デバイスの実行環境を記述する、ステップと、
少なくとも１つのプロセッサーが、前記実行環境に対応するアプリケーション統計を生成するために、受信した前記アプリケーション実行データーを分析するステップであって、該アプリケーション統計が、前記計算デバイスにおいて同時に実行されている複数のアプリケーション・プログラムを記述する、ステップと、
少なくとも１つのプロセッサーが、広告主によって定められた少なくとも１つの広告キャンペーンにアクセスするステップと、
少なくとも１つのプロセッサーが、生成した前記アプリケーション統計およびアクセスした前記広告キャンペーンに少なくとも基づいて、前記計算デバイスにおいて同時に実行している前記複数のアプリケーション・プログラムから、広告を受信する少なくとも１つのアプリケーション・プログラムを特定するステップであって、前記プッシュ・サービスが、特定した前記アプリケーション・プログラムに、前記広告を提供する、ステップと、
を含む、方法。
【請求項９】
請求項８記載の方法であって、更に、生成した前記アプリケーション統計に基づいて、前記広告キャンペーンを選択するステップを含む、方法。
【請求項１０】
請求項８記載の方法であって、更に、
アクセスした前記広告キャンペーン、および
生成した前記統計、
のうちの１つ以上に基づいて、前記広告を選択するステップを含む、方法。
【請求項１１】
請求項８記載の方法であって、更に、特定した前記アプリケーションに基づいて、前記広告を提供したことに対する金銭的課金を計算するステップを含む、方法。
【請求項１２】
請求項８記載の方法であって、更に、生成した前記統計を広告システムに提供するステップを含み、前記広告システムが、生成した前記統計に基づいて、サンプル広告キャンペーンを作り、前記広告主が、カスタムの広告キャンペーンを定めるために前記サンプル広告キャンペーンを変更する、方法。
【請求項１３】
請求項８記載の方法であって、更に、複数の広告主から複数の広告キャンペーンを受信するステップを含む、方法。
【請求項１４】
請求項８記載の方法であって、更に、
前記計算デバイスの位置を判定するステップと、
判定した前記位置に基づいて、前記広告キャンペーンまたは前記広告を選択するステップと、
を含む、方法。
【請求項１５】
コンピューター実行可能コンポーネントを有する１つ以上のコンピューター読み取り可能媒体であって、前記コンピューター実行可能コンポーネントが、
少なくとも１つのプロセッサーによって実行されると、前記少なくとも１つのプロセッサーに、複数の計算デバイスからアプリケーション実行データーを受信させるプッシュ・サービス・コンポーネントであって、前記アプリケーション実行データーが、前記複数の計算デバイスの各々の実行環境を記述する、プッシュ・サービス・コンポーネントと、
少なくとも１つのプロセッサーによって実行されると、前記少なくとも１つのプロセッサーに、前記複数の計算デバイスのうちの１つの計算デバイスの位置を判定させる、位置検出コンポーネントと、
少なくとも１つのプロセッサーによって実行されると、前記少なくとも１つのプロセッサーに、前記プッシュ・サービス・コンポーネントが受信した前記アプリケーション実行データーに基づいて、前記実行環境に対応するアプリケーション統計を生成させるビジネス・インテリジェンス・コンポーネントであって、前記アプリケーション統計が、前記複数の計算デバイスのうちの１つの計算デバイスにおいて同時に実行される複数のアプリケーション・プログラムを記述する、ビジネス・インテリジェンス・コンポーネントと、
少なくとも１つのプロセッサーによって実行されると、前記少なくとも１つのプロセッサーに、前記ビジネス・インテリジェンス・コンポーネントによって生成された前記アプリケーション統計と、広告主によって定められた広告キャンペーンと、前記位置検出コンポーネントによって判定された前記複数の計算デバイスのうちの前記１つの計算デバイスの位置とに基づいて、前記複数の計算デバイスのうちの前記１つの計算デバイスにおいて同時に実行している前記複数のアプリケーション・プログラムから、広告を受信する少なくとも１つのアプリケーション・プログラムを特定させる、広告サービス・コンポーネントと、
を含み、
前記プッシュ・サービス・コンポーネントが、前記広告サービス・コンポーネントによって特定された前記アプリケーション・プログラムに、前記広告を配信し、前記広告サービス・コンポーネントが、特定された前記アプリケーション・プログラムとこれに関連する生成した前記アプリケーション統計とに基づいて、前記広告を特定した前記アプリケーション・プログラムに配信したことに対して前記広告主に課金する額を計算する、方法。